(57)【要約】  高い自由度のもとでアンテナの共振周波数を設定できるようにしたチップアンテナ及びそれを備えたアンテナ装置を構成する。  誘電体基体（１０）の下面から第４側面を経由して上面にかけて給電電極（１１）が形成されている。誘電体基体（１０）の下面から第３側面を経由して上面にかけて無給電電極（１２）が形成されている。給電電極（１１）と無給電電極（１２）の先端は誘電体基体（１０）の上面において所定間隔で対向している。誘電体基体（１０）の第１側面には周波数調整電極（１３）が形成されている。さらに、誘電体基体（１０）の下面には実装先の回路基板のグランド電極に接続され、周波数調整電極（１３）に導通するグランド電極（１４），（１５）が形成されている。
2010087043.tif 000002
【特許請求の範囲】
【請求項１】
下面、上面、互いに対向する第１・第２の側面、及び互いに対向する第３・第４の側面を有する直方体形状の誘電体基体と、前記誘電体基体の外面に形成された電極とを備えた、チップアンテナにおいて、
前記第４の側面から上面にかけて給電電極が形成され、前記第３の側面から上面にかけて、前記給電電極との間に所定間隔で対向する無給電電極が形成され、
前記誘電体基体の第１の側面に周波数調整電極が形成され、
前記誘電体基体の下面に、実装先の回路基板のグランド電極に接続され、前記周波数調整電極に導通するグランド電極が形成された、チップアンテナ。
【請求項２】
前記グランド電極は、前記誘電体基体の下面から前記第２の側面にかけて延設された、請求項１に記載のチップアンテナ。
【請求項３】
前記周波数調整電極は、前記誘電体基体の第１の側面及び第２の側面に形成された、請求項１に記載のチップアンテナ。
【請求項４】
前記周波数調整電極は、前記誘電体基体の第３の側面または第４の側面もしくは第３・第４の側面に延設された、請求項１〜３のいずれかに記載のチップアンテナ。
【請求項５】
下面、上面、互いに対向する第１・第２の側面、及び互いに対向する第３・第４の側面を有する直方体形状の誘電体基体と、前記誘電体基体の外面に形成された電極とを備えた、チップアンテナにおいて、
前記第４の側面から上面にかけて給電電極が形成され、前記第３の側面から上面にかけて、前記給電電極との間に所定間隔で対向する無給電電極が形成され、
前記誘電体基体の下面に周波数調整電極が形成され、
前記誘電体基体の第１の側面または第２の側面もしくは第１・第２の側面に、実装先の基板のグランド電極に接続され、前記周波数調整電極に導通するグランド電極が形成された、チップアンテナ。
【請求項６】
下面、上面、互いに対向する第１・第２の側面、及び互いに対向する第３・第４の側面を有する直方体形状の誘電体基体と、前記誘電体基体の外面に形成された電極とを備えた、チップアンテナにおいて、
前記第４の側面から上面にかけて無給電電極が形成され、前記第３の側面から上面にかけて、前記無給電電極との間に所定間隔で対向する無給電電極が形成され、
前記誘電体基体の第１の側面に周波数調整電極が形成され、
前記誘電体基体の下面に、実装先の回路基板のグランド電極に接続され、前記周波数調整電極に導通するグランド電極が形成され、
前記二つの無給電電極のうちいずれか一方との間で容量を形成し、実装先の回路基板上の給電ラインに導通する給電電極を前記誘電体基体に備えた、チップアンテナ。
【請求項７】
請求項１〜６のいずれかに記載のチップアンテナと、前記チップアンテナが実装される回路基板とで構成されるアンテナ装置であって、
前記回路基板に、前記周波数調整電極、前記給電電極、前記無給電電極、前記グランド電極の一つ又は幾つか若しくは全てと前記回路基板のグランド電極との間に接続される周波数調整素子が設けられた、アンテナ装置。
【請求項８】
請求項１〜６のいずれかに記載のチップアンテナと、前記チップアンテナが実装される回路基板とで構成されるアンテナ装置であって、
前記回路基板に、前記給電電極に導通する前記回路基板上の給電ラインと前記回路基板上のグランド電極との間に接続されるインピーダンス素子が設けられた、アンテナ装置。
【発明の詳細な説明】
【技術分野】
【０００１】
この発明は、チップアンテナ及びそれを備えたアンテナ装置に関するものであり、特に誘電体基体に給電電極及び無給電電極が所定間隔で対向配置されたチップアンテナ及びアンテナ装置に関するものである。
【背景技術】
【０００２】
所定間隔で対向する給電電極及び無給電電極が誘電体基体に形成されたチップアンテナが特許文献１に示されている。図１（Ａ）は特許文献１に示されているチップアンテナの六面図、図１（Ｂ）はその等価回路図である。【０００３】
図１（Ａ）に示すように、直方体形状の誘電体基体３１の下面から第４側面を経由して上面まで給電電極３４が形成されている。同様に下面から第３側面を経由して上面にかけて無給電電極３６が形成されている。給電電極３４と無給電電極３６とは誘電体基体３１の上面において所定間隔で対向するように形成されている。【０００４】
図１（Ｂ）に示すように給電電極３４と無給電電極３６はそれらの開放端同士が所定間隔で対向することによって結合する。このことによって広帯域特性が得られる。
【先行技術文献】
【特許文献】
【０００５】
【特許文献１】特開２００４−７３４５号公報
【発明の概要】
【発明が解決しようとする課題】
【０００６】
ところが、図１に示した従来のチップアンテナにおいては、そのチップアンテナ３０が回路基板上の非グランド領域に実装されるが、回路基板上のグランド電極に対する位置関係にアンテナの共振周波数が強く依存するため、回路基板に対するチップアンテナの実装領域に近接する他の実装部品や筐体等、周囲の環境によっては、例えば非グランド領域の面積を変化させることによってアンテナの共振周波数を調整する必要が生じる。そのため、非グランド領域の面積を一定にできないといった問題があった。【０００７】
そこで、この発明の目的は、高い自由度のもとでアンテナの共振周波数を設定できるようにしたチップアンテナ及びそれを備えたアンテナ装置を提供することにある。
【課題を解決するための手段】
【０００８】
この発明のチップアンテナは次のように構成する。
下面（実装面）、上面、互いに対向する第１・第２の側面、及び互いに対向する第３・第４の側面（端面）を有する直方体形状の誘電体基体と、前記誘電体基体の外面に形成された電極とを備え、
前記第４の側面から上面にかけて給電電極が形成され、前記第３の側面から上面にかけて、前記給電電極との間に所定間隔で対向する無給電電極が形成され、
前記誘電体基体の第１の側面に周波数調整電極が形成され、
前記誘電体基体の下面に、実装先の回路基板のグランド電極に接続され、前記周波数調整電極に導通するグランド電極が形成されたものとする。【０００９】
前記グランド電極は、前記誘電体基体の下面から前記第２の側面にかけて延設された構造であってもよい。【００１０】
前記周波数調整電極は、前記誘電体基体の第１の側面だけでなく第２の側面に形成されていてもよい。【００１１】
前記周波数調整電極は、前記誘電体基体の第３の側面、第４の側面または第３・第４の両方の側面に延設されていてもよい。【００１２】
また、この発明のチップアンテナは、下面（実装面）、上面、互いに対向する第１・第２の側面、及び互いに対向する第３・第４の側面（端面）を有する直方体形状の誘電体基体と、前記誘電体基体の外面に形成された電極とを備え、
前記第４の側面から上面にかけて給電電極が形成され、前記第３の側面から上面にかけて、前記給電電極との間に所定間隔で対向する無給電電極が形成され、
前記誘電体基体の下面に周波数調整電極が形成され、
前記誘電体基体の第１の側面または第２の側面もしくは第１・第２の側面に、実装先の基板のグランド電極に接続され、前記周波数調整電極に導通するグランド電極が形成されたものとする。【００１３】
また、誘電体基体の第４の側面から上面にかけて無給電電極が形成され、誘電体基体の第３の側面から上面にかけて、前記無給電電極との間に所定間隔で対向する無給電電極が形成され、
前記誘電体基体の第１の側面に周波数調整電極が形成され、
前記誘電体基体の下面に、実装先の回路基板のグランド電極に接続され、前記周波数調整電極に導通するグランド電極が形成され、
前記二つの無給電電極のうちいずれか一方との間で容量を形成し、実装先の回路基板上の給電ラインに導通する給電電極を前記誘電体基体に備えてもよい。【００１４】
この発明のアンテナ装置は、以上に示した構成のいずれかのチップアンテナと、それが実装される回路基板とで構成され、前記回路基板に、前記周波数調整電極、前記給電電極、前記無給電電極、前記グランド電極の一つ又は幾つか若しくは全てと前記回路基板のグランド電極との間に接続される周波数調整素子が設けられたものとする。【００１５】
また、この発明のアンテナ装置は、前記回路基板に、前記給電電極に導通する前記回路基板上の給電ラインと前記回路基板上のグランド電極との間に接続されるインピーダンス素子が設けられたものとする。
【発明の効果】
【００１６】
この発明によれば、誘電体基体に形成された周波数調整電極はグランド電極に接続され、周波数調整電極と給電電極との間の電極間距離、及び周波数調整電極と無給電電極との間の電極間距離をチップアンテナ単体の状態でそれぞれ定めることができる。【００１７】
給電電極と周波数調整電極との間、及び無給電電極と周波数調整電極との間にそれぞれ容量が生じ、給電電極及び無給電電極に流れる電流がグランドを介して周波数調整電極に流れ込み、その周波数調整電極が電流経路となるため、前記容量によってアンテナの共振周波数を設定できる。そのため、実装先の回路基板に形成すべき非グランド領域の面積を変えることなくアンテナの共振周波数を設定できる。その結果、周波数を下げることができるので、チップアンテナ及びアンテナ装置の小型化が図れる。
【図面の簡単な説明】
【００１８】
【図１】特許文献１に示されているチップアンテナの六面図及び等価回路図である。
【図２】図２（Ａ）は第１の実施形態に係るチップアンテナ１０１の六面図、図２（Ｂ）はチップアンテナ１０１を備えたアンテナ装置２０１の主要部の斜視図、図２（Ｃ）はアンテナ装置２０１の等価回路図である。
【図３】第２の実施形態に係るチップアンテナ１０２の六面図である。
【図４】第３の実施形態に係るチップアンテナ１０３の六面図である。
【図５】第４の実施形態に係るチップアンテナ１０４の六面図である。
【図６】第５の実施形態に係るチップアンテナ１０５の六面図である。
【図７】第６の実施形態に係るチップアンテナ１０６の六面図である。
【図８】図８（Ａ）は第７の実施形態に係るチップアンテナ１０７の六面図、図８（Ｂ）はそのチップアンテナ１０７を用いたアンテナ装置２０７の斜視図である。
【図９】第８の実施形態に係るチップアンテナ１０８の六面図である。
【図１０】第９の実施形態に係るアンテナ装置２０９の斜視図である。
【発明を実施するための形態】
【００１９】
《第１の実施形態》
図２（Ａ）は第１の実施形態に係るチップアンテナ１０１の六面図、図２（Ｂ）はチップアンテナ１０１を備えたアンテナ装置２０１の主要部の斜視図、図２（Ｃ）はアンテナ装置２０１の等価回路図である。
【００２０】
直方体形状の誘電体基体１０は、下面（回路基板に対する実装面）、上面、互いに対向する第１側面・第２側面、及び互いに対向する第３側面・第４側面を備えている。
誘電体基体１０の下面から第４側面を経由して上面にかけて給電電極１１が形成されている。また誘電体基体１０の下面から第３側面を経由して上面にかけて無給電電極１２が形成されている。給電電極１１と無給電電極１２の先端（開放端）は誘電体基体１０の上面において所定間隔で対向している。誘電体基体１０の第１側面には周波数調整電極１３が形成されている。さらに、誘電体基体１０の下面には実装先の回路基板のグランド電極に接続され、周波数調整電極１３に導通するグランド電極１４，１５が形成されている。
【００２１】
図２（Ｂ）に示すように、回路基板５０の上面にはグランド電極２０が形成されるとともに、非グランド領域ＮＧＡが設けられている。この非グランド領域ＮＧＡ内に図に示すようにチップアンテナ１０１が実装される。また、非グランド領域ＮＧＡには給電ライン２１、無給電ライン２２、グランドライン２４，２５、及び給電分岐ライン２６がそれぞれ形成されている。チップアンテナ１０１の実装状態で、給電電極１１の基部（誘電体基体１０の下面に形成されている給電電極１１部分）が給電ライン２１に導通する。無給電電極１２の基部（誘電体基体１０の下面に形成されている無給電電極１２部分）が無給電ライン２２に導通する。また、下面側のグランド電極１４，１５がグランドライン２４，２５にそれぞれ導通する。給電分岐ライン２６とグランド電極２０と間には、図２（Ｂ）には表れていない給電回路が接続される。
【００２２】
アンテナ装置２０１の等価回路は、図２（Ｃ）に示すとおりである。このように、グランド電極に接続された周波数調整電極１３が給電電極１１及び無給電電極１２に沿って近接する。このことにより、周波数調整電極１３と給電電極１１及び無給電電極１２との間の容量が設定されることになる。
【００２３】
この構造により、給電電極と周波数調整電極との間、及び無給電電極と周波数調整電極との間にそれぞれ容量が生じ、給電電極及び無給電電極に流れる電流がグランドを介して周波数調整電極に流れ込み、その周波数調整電極が電流経路となるため、前記容量によってアンテナの共振周波数を設定できる。そのため、実装先の回路基板に形成すべき非グランド領域の面積を変えることなくアンテナの共振周波数を設定できる。その結果、周波数を下げることができるので、チップアンテナの及びアンテナ装置の小型化が図れる。
【００２４】
《第２の実施形態》
図３は第２の実施形態に係るチップアンテナ１０２の六面図である。
直方体形状の誘電体基体１０は、下面（回路基板に対する実装面）、上面、互いに対向する第１側面・第２側面、及び互いに対向する第３側面・第４側面を備えている。
誘電体基体１０の下面から第４側面を経由して上面にかけて給電電極１１が形成されている。また誘電体基体１０の下面から第３側面を経由して上面にかけて無給電電極１２が形成されている。給電電極１１と無給電電極１２の先端（開放端）は誘電体基体１０の上面において所定間隔で対向している。
【００２５】
誘電体基体１０の第２側面には周波数調整電極１３が形成されている。誘電体基体１０の下面から第１側面にかけて、実装先の回路基板のグランド電極に接続され、周波数調整電極１３に導通するグランド電極１４，１５が形成されている。
【００２６】
このように周波数調整電極１３を誘電体基体１０の下面から第２側面にかけて延設するようにしてもよい。
【００２７】
《第３の実施形態》
図４は第３の実施形態に係るチップアンテナ１０３の六面図である。
直方体形状の誘電体基体１０は、下面（回路基板に対する実装面）、上面、互いに対向する第１側面・第２側面、及び互いに対向する第３側面・第４側面を備えている。
【００２８】
誘電体基体１０の下面から第４側面を経由して上面にかけて給電電極１１が形成されている。また誘電体基体１０の下面から第３側面を経由して上面にかけて無給電電極１２が形成されている。給電電極１１と無給電電極１２の先端（開放端）は誘電体基体１０の上面において所定間隔で対向している。
【００２９】
誘電体基体１０の第１側面には周波数調整電極１３が形成されている。また誘電体基体１０の第２側面には周波数調整電極１６が形成されている。さらに、誘電体基体１０の下面には実装先の回路基板のグランド電極に接続され、周波数調整電極１３，１６にそれぞれ導通するグランド電極１４，１５が形成されている。
【００３０】
このように、周波数調整電極１３，１６を誘電体基体１０の第１の側面及び第２の側面にそれぞれ形成してもよい。この構造により、給電電極１１と周波数調整電極１３，１６との間、及び無給電電極１２と周波数調整電極１３，１６との間により大きな容量が生じる。前記容量によって、給電電極及び無給電電極に流れる電流がグランドを介して周波数調整電極に流れ込み、その周波数調整電極が電流経路となるため、先に示した実施形態の場合よりさらに周波数を下げることができ、アンテナの共振周波数を設定できる。そのため、実装先の回路基板に形成すべき非グランド領域の面積を変えることなくアンテナの共振周波数を設定できる。
【００３１】
《第４の実施形態》
図５は第４の実施形態に係るチップアンテナ１０４の六面図である。
直方体形状の誘電体基体１０は、下面（回路基板に対する実装面）、上面、互いに対向する第１側面・第２側面、及び互いに対向する第３側面・第４側面を備えている。
誘電体基体１０の下面から第４側面を経由して上面にかけて給電電極１１が形成されている。また誘電体基体１０の下面から第３側面を経由して上面にかけて無給電電極１２が形成されている。給電電極１１と無給電電極１２の先端（開放端）は誘電体基体１０の上面において所定間隔で対向している。
【００３２】
誘電体基体１０の下面には周波数調整電極１３が形成されている。さらに、誘電体基体１０の第１側面には実装先の回路基板のグランド電極に接続され、周波数調整電極１３に導通するグランド電極１４，１５が形成されている。
【００３３】
このように誘電体基体１０の下面に周波数調整電極１３を形成したことにより、この周波数調整電極１３と給電電極１１との間、及び周波数調整電極１３と無給電電極１２との間に、誘電体基体１０を挟んでそれぞれ容量が生じる。そのため、給電電極及び無給電電極に流れる電流がグランドを介して周波数調整電極に流れ込む。このように、前記周波数調整電極が電流経路となるため、前記容量によってアンテナの共振周波数を設定できる。そのため、実装先の回路基板に形成すべき非グランド領域の面積を変えることなくアンテナの共振周波数を設定できる。
【００３４】
《第５の実施形態》
図６は第５の実施形態に係るチップアンテナ１０５の六面図である。
直方体形状の誘電体基体１０は、下面（回路基板に対する実装面）、上面、互いに対向する第１側面・第２側面、及び互いに対向する第３側面・第４側面を備えている。
誘電体基体１０の下面から第４側面を経由して上面にかけて給電電極１１が形成されている。また誘電体基体１０の下面から第３側面を経由して上面にかけて無給電電極１２が形成されている。給電電極１１と無給電電極１２の先端（開放端）は誘電体基体１０の上面において所定間隔で対向している。
【００３５】
第１の実施形態で図２に示した例と異なり、給電電極１１のうち第４側面には第４側面の幅より狭く形成されている。また、無給電電極１２のうち第３側面には第３側面の幅より狭く形成されている。
【００３６】
誘電体基体１０の第１側面には周波数調整電極１３が形成されている。誘電体基体１０の第３側面及び第４側面には第１側面から周波数調整電極１３が延設されている。
誘電体基体１０の下面には実装先の回路基板のグランド電極に接続され、周波数調整電極１３に導通するグランド電極１４，１５が形成されている。
【００３７】
このように、誘電体基体１０の第３側面及び第４側面に第１側面から周波数調整電極１３を延設したことにより、周波数調整電極１３と給電電極１１との間、及び周波数調整電極１３と無給電電極１２との間が長い距離に亘って近接することになり、その間に所定の比較的大きな容量を生じさせることができる。
【００３８】
また、第４側面の給電電極１１及び第３側面の無給電電極１２の線幅をそれぞれ細くしたことにより、それらの部分のインダクタンス成分が増し、所定の共振周波数を得るためのアンテナサイズや電極寸法を小さくすることができ、その分、小型化が図れる。
【００３９】
《第６の実施形態》
図７は第６の実施形態に係る別のチップアンテナ１０６の六面図である。
直方体形状の誘電体基体１０は、下面（回路基板に対する実装面）、上面、互いに対向する第１側面・第２側面、及び互いに対向する第３側面・第４側面を備えている。
誘電体基体１０の下面から第４側面にかけて給電電極１１が形成されている。また、誘電体基体１０の下面から第２側面にかけて給電電極１１が形成されている。同様に、誘電体基体１０の下面から第３側面にかけて無給電電極１２が形成されていて、誘電体基体１０の下面から第２側面にかけて無給電電極１２が形成されている。給電電極１１と無給電電極１２の先端（開放端）は誘電体基体１０の第２側面において所定間隔で対向している。
【００４０】
このように、第２側面に給電電極１１と無給電電極１２が形成されている構造であっても、周波数調整電極１３と給電電極１１との間、及び周波数調整電極１３と無給電電極１２との間にそれぞれ容量が生じ、給電電極及び無給電電極に流れる電流がグランドを介して周波数調整電極に流れ込み、その周波数調整電極が電流経路となるため、前記容量によってアンテナの共振周波数を設定できる。そのため、実装先の回路基板に形成すべき非グランド領域の面積を変えることなくアンテナの共振周波数を設定できる。その結果、周波数を下げることができるので、チップアンテナ及びアンテナ装置の小型化が図れる。
【００４１】
《第７の実施形態》
図８（Ａ）は第７の実施形態に係るチップアンテナ１０７の六面図、図８（Ｂ）はそのチップアンテナ１０７を用いたアンテナ装置２０７の斜視図である。
【００４２】
直方体形状の誘電体基体１０は、下面（回路基板に対する実装面）、上面、互いに対向する第１側面・第２側面、及び互いに対向する第３側面・第４側面を備えている。
誘電体基体１０の下面から第４側面を経由して上面にかけて無給電電極１８が形成されている。また誘電体基体１０の下面から第３側面を経由して上面にかけて無給電電極１２が形成されている。無給電電極１８と無給電電極１２の先端（開放端）は誘電体基体１０の上面において所定間隔で対向している。
【００４３】
誘電体基体１０の第１側面には周波数調整電極１３が形成されている。さらに、誘電体基体１０の下面には実装先の回路基板のグランド電極に接続され、周波数調整電極１３に導通するグランド電極１４，１５が形成されている。
【００４４】
第１の実施形態で図２に示した例と異なり、第４側面に給電電極１９と無給電電極１８が近接して形成されている。
【００４５】
図８（Ｂ）に示すように、回路基板５０の上面にはグランド電極２０が形成されるとともに、非グランド領域ＮＧＡが設けられている。この非グランド領域ＮＧＡ内に図に示すようにチップアンテナ１０７が実装される。また、非グランド領域ＮＧＡには無給電ライン２２，２８、グランドライン２４，２５、及び給電ライン２７がそれぞれ形成されている。チップアンテナ１０７の実装状態で、給電電極１９の基部（誘電体基体１０の下面に形成されている給電電極１９部分）が給電ライン２７に導通する。無給電電極１２の基部（誘電体基体１０の下面に形成されている無給電電極１２部分）が無給電ライン２２に導通する。また、下面側のグランド電極１４，１５がグランドライン２４，２５にそれぞれ導通する。給電ライン２７とグランド電極２０と間には、図８（Ｂ）には表れていない給電回路が接続される。
【００４６】
この構造により、誘電体基体１０の第４側面において無給電電極１８と給電電極１９との間に所定の容量が生じる。したがって給電ライン２７に給電回路を接続することによって、チップアンテナ１０７に対して容量給電できる。
【００４７】
《第８の実施形態》
図９は第８の実施形態に係るチップアンテナ１０８の六面図である。
直方体形状の誘電体基体１０は、下面（回路基板に対する実装面）、上面、互いに対向する第１側面・第２側面、及び互いに対向する第３側面・第４側面を備えている。
誘電体基体１０の下面から第４側面を経由して上面にかけて給電電極１１が形成されている。また誘電体基体１０の下面から第３側面を経由して上面にかけて無給電電極１２が形成されている。給電電極１１と無給電電極１２の先端（開放端）は誘電体基体１０の上面において所定間隔で対向している。誘電体基体１０の第１側面には周波数調整電極１３が形成されている。さらに、誘電体基体１０の下面には実装先の回路基板のグランド電極に接続され、周波数調整電極１３に導通するグランド電極１４，１５が形成されている。
【００４８】
第１の実施形態で図２に示した例と異なり、第１側面に形成された周波数調整電極１３は半ループ状に形成されている。
【００４９】
《第９の実施形態》
図１０は第９の実施形態に係るアンテナ装置２０９の斜視図である。
回路基板５０の上面にはグランド電極２０が形成されるとともに、非グランド領域ＮＧＡが設けられている。この非グランド領域ＮＧＡ内に図に示すようにチップアンテナ１０１が実装される。このチップアンテナ１０１は第１の実施形態で示したチップアンテナ１０１と同じである。回路基板５０の非グランド領域ＮＧＡには給電ライン２１、無給電ライン２２、グランドライン２４，２５、及び給電分岐ライン２６がそれぞれ形成されている。
【００５０】
チップアンテナ１０１の実装状態で、給電電極１１の基部（誘電体基体１０の下面に形成されている給電電極１１部分）が給電ライン２１に導通する。無給電電極１２の基部（誘電体基体１０の下面に形成されている無給電電極１２部分）が無給電ライン２２に導通する。また、下面側のグランド電極１４，１５がグランドライン２４，２５にそれぞれ導通する。給電分岐ライン２６とグランド電極２０と間には、図１０には表れていない給電回路が接続される。
【００５１】
この例では無給電ライン２２に対して直列に周波数調整素子６３が、グランドライン２４に対して直列に周波数調整素子６２が、さらに給電ライン２１とグランド電極２０と間に並列にインピーダンス素子６１がそれぞれ接続されている。
【００５２】
このように周波数調整素子６２，６３、インピーダンス素子６１、及びチップアンテナ１０１を回路基板５０に実装することによってアンテナ装置２０９が構成されている。インピーダンス素子６１、周波数調整素子６２，６３は例えばチップコンデンサやチップインダクタであり、それらのインピーダンスによってアンテナの共振周波数及びインピーダンスの設定が可能となる。例えば無給電電極１２の根元部に直列に接続される周波数調整素子６３を誘導性素子とすることによってアンテナの共振周波数を下げることができる。また、周波数調整電極１３が接続されるグランドライン２４に対して直列に接続される周波数調整素子６２によって周波数を調整することができる。さらに給電ライン２１とグランド電極２０との間に接続されるインピーダンス素子６１によって給電回路とアンテナ装置２０９とのインピーダンス整合を図ることができる。
【符号の説明】
【００５３】
１０…誘電体基体
１０１〜１０８…チップアンテナ
１１…給電電極
１２，１８…無給電電極
１３…周波数調整電極
１３，１６…周波数調整電極
１４，１５…グランド電極
１９…給電電極
２０…グランド電極
２１…給電ライン
２２，２８…無給電ライン
２４，２５…グランドライン
２６…給電分岐ライン
２７…給電ライン
３０…チップアンテナ
５０…回路基板
６１…インピーダンス素子
６２，６３…周波数調整素子
２０１…アンテナ装置
２０７，２０９…アンテナ装置
ＮＧＡ…非グランド領域
【図１】
2010087043.tif 000003
【図２】
2010087043.tif 000004
【図３】
2010087043.tif 000005
【図４】
2010087043.tif 000006
【図５】
2010087043.tif 000007
【図６】
2010087043.tif 000008
【図７】
2010087043.tif 000009
【図８】
2010087043.tif 000010
【図９】
2010087043.tif 000011
【図１０】
2010087043.tif 000012
【国際調査報告】
2010087043.tif 000013
2010087043.tif 000014
2010087043.tif 000015
2010087043.tif 000016